(57)【要約】【課題】異常画像の発生を防止しつつ、読取位置上の防汚効果の耐久性を向上させる原稿画像読取装置、及びその原稿画像読取装置を備える画像形成装置を提供する。【解決手段】原稿セット部１にセットされる原稿束から一枚毎原稿を分離して給送する分離給送部２と、前記分離給送部２で一枚毎に分離される原稿を搬送する搬送手段３と、前記搬送手段３で搬送される原稿を案内する案内手段４と、前記案内手段４に案内されて搬送される原稿の第１面を読み取る第一読取部５と、前記第一読取部５で読み取り後に搬送される原稿の第２面を読み取る第二読取部６を備えて、前記第一読取部５の読取位置（ａ）に最も近接した上流側と下流側の前記搬送手段３の相対的な速度関係が、前記第二読取部６の読取位置（ｄ）に最も近接した上流側と下流側の前記搬送手段３の相対的な速度関係と異なる。【選択図】図１
2007143083.tif 000002
【特許請求の範囲】
【請求項１】
原稿を搬送する搬送手段と、前記搬送手段により搬送される原稿を案内する案内手段と、前記案内手段により案内されて搬送される原稿の第１面を読み取る第一読取部と、前記第一読取部での読み取り後に搬送される原稿の第２面を読み取る第二読取部と、制御部と、を備え、
前記制御部は、前記第一読取部の読取位置に最も近接した上流側と下流側の前記搬送手段の相対的な速度関係が、前記第二読取部の読取位置に最も近接した上流側と下流側の前記搬送手段の相対的な速度関係と異なるように制御することを特徴とする原稿画像読取装置。
【請求項２】
請求項１に記載の原稿画像読取装置において、前記制御部は、読取モードの切り替えによって、前記第一読取部の読取位置に最も近接した上流側と下流側の前記搬送手段の相対的な速度関係と前記第二読取部の読取位置に最も近接した上流側と下流側の前記搬送手段の相対的な速度関係が変化するように制御することを特徴とする原稿画像読取装置。
【請求項３】
請求項１または２に記載の原稿画像読取装置において、前記制御部は、同一の読取モードのなかで、前記第一読取部の読取位置に最も近接した上流側と下流側の前記搬送手段の相対的な速度関係と、前記第二読取部の読取位置に最も近接した上流側と下流側の前記搬送手段の相対的な速度関係を変化させるように制御することを特徴とする原稿画像読取装置。
【請求項４】
請求項１乃至３のいずれか一項に記載の原稿画像読取装置において、前記制御部は、前記第一読取部の読取位置に最も近接した上流側と下流側の前記搬送手段の相対的な速度関係と、前記第二読取部の読取位置に最も近接した上流側と下流側の前記搬送手段の相対的な速度関係の変化に同期して、読取位置近傍の前記案内手段の位置を移動するように制御することを特徴とする原稿画像読取装置。
【請求項５】
請求項１乃至４のいずれか一項に記載の原稿画像読取装置において、前記案内手段は、前記第一読取部の読取位置に配置される透過部材の防汚処理面に対向して配置される搬送ガイド部材であることを特徴とする原稿画像読取装置。
【請求項６】
請求項５に記載の原稿画像読取装置において、前記搬送ガイド部材は、前記透過部材によって位置決めされることを特徴とする原稿画像読取装置。
【請求項７】
請求項１乃至４のいずれか一項に記載の原稿画像読取装置において、前記案内手段は、前記第二読取部の読取位置に配置される読取面の防汚処理面に対向して配置されるローラ部材であることを特徴とする原稿画像読取装置。
【請求項８】
請求項７に記載の原稿画像読取装置において、前記ローラ部材は、白基準補正のための白色ローラと兼用することを特徴とする原稿画像読取装置。
【請求項９】
請求項７または８に記載の原稿画像読取装置において、前記ローラ部材は、回動することにより前記第二読取部の読取面に接近または離間するカム面を有するリング部材を両端に備えることを特徴とする原稿画像読取装置。
【請求項１０】
請求項１乃至９のいずれか一項に記載の原稿画像読取装置において、前記第一読取部のある第一読取搬送部は、読取位置と上流側搬送手段のニップ部間を結ぶ直線と、読取位置と下流側搬送手段のニップ部間を結ぶ直線とが形成する曲折部の角度が１５０度未満で、前記第一読取部は読取位置と上流側搬送手段のニップ部と下流側搬送手段のニップ部の３点を通る円弧の外側に配置することを特徴とする原稿画像読取装置。
【請求項１１】
請求項１０に記載の原稿画像読取装置において、前記第一読取部は、読取位置の上流側の搬送速度≦下流側の搬送速度であることを特徴とする原稿画像読取装置。
【請求項１２】
請求項１１に記載の原稿画像読取装置において、読取位置前後の搬送手段の読取時の搬送速度差は１％未満であることを特徴とする原稿画像読取装置。
【請求項１３】
請求項１乃至１２のいずれか一項に記載の原稿画像読取装置において、前記第二読取部のある第二読取搬送部は、読取位置と上流側搬送手段のニップ部間を結ぶ直線と、読取位置と下流側搬送手段のニップ部間を結ぶ直線とが形成するほぼ直線部の角度が１５０度以上となるように配置することを特徴とする原稿画像読取装置。
【請求項１４】
請求項１３に記載の原稿画像読取装置において、前記第二読取部は、読取位置の上流側の搬送速度≧下流側の搬送速度であることを特徴とする原稿画像読取装置。
【請求項１５】
請求項１４に記載の原稿画像読取装置において、読取位置前後の搬送手段の読取時の搬送速度差は１％未満であることを特徴とする原稿画像読取装置。
【請求項１６】
被記録媒体に記録画像を形成する画像形成装置において、前記請求項１乃至１５のいずれか一項に記載の前記原稿画像読取装置と、前記原稿画像読取装置で読み取った原稿画像を被記録媒体に記録画像として形成する画像形成ユニットを備えることを特徴とする画像形成装置。
【請求項１７】
請求項１６に記載の画像形成装置において、前記画像形成ユニットは、電子写真方式の作像プロセスで被記録媒体上にトナーの記録画像を形成することを特徴とする画像形成装置。
【発明の詳細な説明】
【技術分野】
【０００１】
本発明は、原稿画像読取装置、及びその原稿画像読取装置を備える画像形成装置に関する。詳しくは、原稿を搬送しながら複数の固定位置で原稿画像を読み取る原稿画像読取装置、及びその原稿画像読取装置を備える印刷装置、静電記録方式や電子写真方式などのプロセスでトナーの記録画像を形成する複写機、ファクシミリ装置、プリンタあるいはこれらの複合機等の画像形成装置に関する。
【背景技術】
【０００２】
従来の原稿画像読取装置においては、装置本体側にフラットベットスキャナ（ＦＢＳ）を備えると共に、装置本体に対して開閉自在な原稿押圧板には、自動原稿搬送装置（ＡＤＦ）を備えており、フラットベットスキャナ（ＦＢＳ）方式で原稿を読み取るときには、原稿押圧板を開いて装置本体側の読取面に文書等をセットして原稿押圧板を閉じた後、光源、ミラー等をスキャニングして、原稿の反射像をＣＣＤカメラに結像させて電気信号に変換して読み取る。
自動原稿搬送装置（ＡＤＦ）を用いて原稿を読み取るときには、シート状の原稿を、シート搬送装置にて一枚ずつ搬送してフラットベットスキャナ（ＦＢＳ）方式の読取面と別途に設けた原稿読取面に案内し、その読取面で原稿を読み取るようになっている。そして、このような装置において、原稿読取面の上流側に設けた回動可能な搬送ローラを原稿読取面に近づけて正確な読み取りを可能にした技術が知られている（例えば、特許文献１参照）。
さらに原稿読取面の上流側の中間ローラと原稿読取面上の送信ローラの周速を同期させて、読取位置前後の線速を同じくして原稿の弛みを防止して原稿の送り制度を維持することも知られている（特許文献２参照）。
しかし自動原稿搬送装置（ＡＤＦ）の読取部を固定して原稿を搬送しながら読み取りを行うシートスルーＤＦ方式においては、読取部に異物が滞留、付着した場合にはスジ画像の異常画像となって現れる。そのため読取位置上に防汚処理を施しているが、原稿が読取位置上に接触するため、原稿の通過回数に比例して防汚効果は低下すると言う不具合があった。
【特許文献１】特開２００１−２３８０４７公報
【特許文献２】特開昭６１−２７８３８号公報
【発明の開示】
【発明が解決しようとする課題】
【０００３】
従来の原稿画像読取装置、及びその原稿画像読取装置を備える画像形成装置においては、読取部を固定して原稿を搬送しながら読み取りを行うシートスルーＤＦ方式において、読取部に異物が滞留、付着した場合にはスジ画像の異常画像となって現れことを防止するために、読取位置上に防汚処理を施しているが、原稿が読取位置上に接触するため、原稿の通過回数に比例して読取位置上の防汚効果は低下すると言う問題が発生していた。
そこで本発明の課題は、このような問題点を解決するものである。即ち、異常画像の発生を防止しつつ、読取位置上の防汚効果の耐久性を向上させる原稿画像読取装置、及びその原稿画像読取装置を備える画像形成装置を提供することを目的とする。
【課題を解決するための手段】
【０００４】
上記目的を達成するために、請求項１に記載の本発明は、原稿を搬送する搬送手段と、前記搬送手段により搬送される原稿を案内する案内手段と、前記案内手段により案内されて搬送される原稿の第１面を読み取る第一読取部と、前記第一読取部での読み取り後に搬送される原稿の第２面を読み取る第二読取部と、制御部と、を備え、前記制御部は、前記第一読取部の読取位置に最も近接した上流側と下流側の前記搬送手段の相対的な速度関係が、前記第二読取部の読取位置に最も近接した上流側と下流側の前記搬送手段の相対的な速度関係と異なるように制御することを特徴とする。
請求項２の発明は、請求項１に記載の原稿画像読取装置において、前記制御部は、読取モードの切り替えによって、前記第一読取部の読取位置に最も近接した上流側と下流側の前記搬送手段の相対的な速度関係と前記第二読取部の読取位置に最も近接した上流側と下流側の前記搬送手段の相対的な速度関係が変化するように制御することを特徴とする。
請求項３の発明は、請求項１または２に記載の原稿画像読取装置において、前記制御部は、同一の読取モードのなかで、前記第一読取部の読取位置に最も近接した上流側と下流側の前記搬送手段の相対的な速度関係と、前記第二読取部の読取位置に最も近接した上流側と下流側の前記搬送手段の相対的な速度関係を変化させるように制御することを特徴とする。
請求項４の発明は、請求項１乃至３のいずれか一項に記載の原稿画像読取装置において、前記制御部は、前記第一読取部の読取位置に最も近接した上流側と下流側の前記搬送手段の相対的な速度関係と、前記第二読取部の読取位置に最も近接した上流側と下流側の前記搬送手段の相対的な速度関係の変化に同期して、読取位置近傍の前記案内手段の位置を移動するように制御することを特徴とする。
請求項５に記載の本発明は、請求項１乃至４のいずれか一項に記載の原稿画像読取装置において、前記案内手段は、前記第一読取部の読取位置に配置される透過部材の防汚処理面に対向して配置される搬送ガイド部材である原稿画像読取装置であることを特徴とする。
【０００５】
請求項６に記載の本発明は、請求項５に記載の原稿画像読取装置において、前記搬送ガイド部材は、前記透過部材によって位置決めされる原稿画像読取装置であることを特徴とする。
請求項７に記載の本発明は、請求項１乃至４のいずれか一項に記載の原稿画像読取装置において、前記案内手段は、前記第二読取部の読取位置に配置される読取面の防汚処理面に対向して配置されるローラ部材である原稿画像読取装置であることを特徴とする。
請求項８に記載の本発明は、請求項７に記載の原稿画像読取装置において、前記ローラ部材は、白基準補正のための白色ローラと兼用する原稿画像読取装置であることを特徴とする。
請求項９に記載の本発明は、請求項７または８に記載の原稿画像読取装置において、前記ローラ部材は、回動して前記第二読取部の読取面に接近または離間させるカム面を有するリング部材を両端に備える原稿画像読取装置であることを特徴とする。
請求項１０に記載の本発明は、請求項１乃至９のいずれか一項に記載の原稿画像読取装置において、前記第一読取部のある第一読取搬送部は、線分の読取位置と上流側搬送手段のニップ部、線分の読取位置と下流側搬送手段のニップ部の二直線が形成する曲折部の角度が１５０度未満で、前記第一読取部は読取位置と上流側搬送手段のニップ部と下流側搬送手段のニップ部の３点を通る円弧の外側に配置する原稿画像読取装置であることを特徴とする。
【０００６】
請求項１１に記載の本発明は、請求項１０に記載の原稿画像読取装置において、前記第一読取部は、読取位置の上流側の搬送速度≦下流側の搬送速度である原稿画像読取装置であることを特徴とする。
請求項１２に記載の本発明は、請求項１１に記載の原稿画像読取装置において、読取位置前後の搬送手段３読取時の搬送速度差は１％未満である原稿画像読取装置であることを特徴とする。
請求項１３に記載の本発明は、請求項１乃至１２のいずれか一項に記載の原稿画像読取装置において、前記第二読取部のある第二読取搬送部は、線分の読取位置と上流側搬送手段のニップ部、線分の読取位置と下流側搬送手段のニップ部の二直線が形成するほぼ直線部の角度が１５０度以上となるように配置する原稿画像読取装置であることを特徴とする。
請求項１４に記載の本発明は、請求項１３に記載の原稿画像読取装置において、前記第二読取部は、読取位置の上流側の搬送速度≧下流側の搬送速度である原稿画像読取装置であることを特徴とする。
請求項１５に記載の本発明は、請求項１４に記載の原稿画像読取装置において、読取位置前後の搬送手段の読取時の搬送速度差は１％未満である原稿画像読取装置であることを特徴とする。
請求項１６に記載の本発明は、被記録媒体に記録画像を形成する画像形成装置において、前記請求項１乃至１５のいずれか一項に記載の前記原稿画像読取装置と、前記原稿画像読取装置で読み取る原稿画像を被記録媒体に記録画像として形成する画像形成ユニットを備える画像形成装置であることを特徴とする。
請求項１７に記載の本発明は、請求項１６に記載の画像形成装置において、前記画像形成ユニットは、電子写真方式の作像プロセスで被記録媒体上にトナーの記録画像を形成する画像形成装置であることを特徴とする。
【発明の効果】
【０００７】
本発明によれば、異常画像の発生を防止しつつ、読取位置上の防汚効果の持続性を向上させる原稿画像読取装置、及びその原稿画像読取装置を備える画像形成装置を提供することが出来る。
【発明を実施するための最良の形態】
【０００８】
以下に、本発明の実施形態を、図面を参照して詳細に説明する。
図１は、本発明の実施の形態例にかかる原稿画像読取装置１０の基本構成の断面図である。
図２は、本発明の実施の形態例にかかる原稿画像読取装置１０の制御系の構成を示すブロック図である。
図１において、本発明の原稿画像読取装置１０は、原稿を所定の速度で搬送しながら複数の固定位置で原稿画像を読み取る自動原稿搬送装置（ＡＤＦ）及び読取ユニットに関するもので、第一読取部５に配置される透過部材５０や、第二読取部６の読取面６０の読み取り位置上に施されている防汚処理効果を長期に渡って維持するための構成を備える。この防汚処理硬化の維持を、原稿セット部１にセットされる原稿（Ｏ）束から分離給送部２により一枚毎に原稿（Ｏ）を分離して第一読取部５と第二読取部６に搬送する搬送手段３（第一読取搬送部３０、第二読取搬送部３２）の搬送速度と案内手段４（搬送ガイド部材４０とローラ部材４１）の制御によって達成する。
なお、原稿（Ｏ）の搬送経路の形状の相違によって設定する搬送速度が異なるため、搬送経路毎の搬送速度設定について説明する。
【０００９】
まずその基本的な構成、動作、作用を原稿画像読取装置１０の断面図である図１を基に説明する。
本発明に係る原稿画像読取装置１０は、被読み取り両面原稿（Ｏ）の束をセットする原稿セット部１と、原稿セット部１上にセットされた両面原稿（Ｏ）の束から原稿（Ｏ）を一枚ずつに分離して給送する分離給送部２と、給送された原稿（Ｏ）の表面を一次突き当て整合する働きと、整合後の原稿（Ｏ）を引き出し搬送する働きのレジスト部７と、搬送される原稿（Ｏ）をターンさせて、原稿（Ｏ）の第１面を読み取り側の下方に向けて搬送するターン部８と、原稿（Ｏ）の第１面を搬送させながら透過部材５０（コンタクトガラス）の下方より第一読取部５で読み取りを行わせる搬送手段３（第一読取搬送部３０と、原稿（Ｏ）の第２面を第二読取部６により上方より読み取りを行わせる第二読取搬送部３１）と、第１面と第２面の読み取り完了後に原稿（Ｏ）を搬送し機外に排出する排出部９と、読み取り完了後の原稿（Ｏ）を積載保持するスタック部９０と、これらの搬送動作の駆動を行う図２に示す駆動部１５と、センサ群１６と、さらに一連の動作を制御するコントローラ部１１と、Ｉ／Ｆ１２と、本体制御部１３と、操作部１４と、から構成されている。
駆動部１５は、ピックアップモータ２５０、給紙モータ２５１、読取入口モータ２５２、排紙モータ２５３、底板上昇モータ２５４、読取出口モータ２５５で構成される。
センサ群１６は、レジストセンサ２６０、原稿セットセンサ２６１、排紙センサ２６２、突き当てセンサ２６３、原稿幅センサ２６４、読取入口センサ２６５、テーブル上昇検知センサ２６６、底板ホームポジションセンサ２６７、原稿長さ検知センサ２６８、２６９で構成される。
【００１０】
読み取りを行う原稿（Ｏ）の束をセットするのは、原稿セット部１の可動原稿テーブル１７を含む原稿テーブル１８の上面であり、原稿（Ｏ）の第１面を上向きの状態でセットする。さらに原稿（Ｏ）の束の巾方向を図示しないサイドガイドによって搬送方向と直交する方向の位置決めを行う。原稿（Ｏ）のセットはセットフィラー１９、原稿セットセンサ２６１により検知され、Ｉ／Ｆ１２により本体制御部１３に送信される。さらに原稿テーブル１８の上面に設けられた原稿長さ検知センサ２６８または２６９（反射型センサ、又は、原稿（Ｏ）１枚にても検知可能なアクチェーター・タイプのセンサが用いられる）により原稿（Ｏ）の搬送方向長さの概略が判定される。少なくとも同一原稿（Ｏ）のサイズの縦か横かを判断可能なセンサ配置が必要である。
可動原稿テーブル１７は、底板上昇モータ２５４により図示の矢印（Ａ）方向に上下動可能な構成になっている。原稿（Ｏ）がセットされたことをセットフィラー１９及び底板ホームポジションセンサ２６７から原稿セットセンサ２６１により検知すると、底板上昇モータ２５４を正転させて原稿（Ｏ）の束の最上面がピックアップローラ２０と接触するように可動原稿テーブル１７を上昇させる。
ピックアップローラ２０は、ピックアップモータ２５０によりカム機構で図示の矢印（Ｂ）方向に動作すると共に、可動原稿テーブル１７が上昇し可動原稿テーブル１７の上面の原稿（Ｏ）の上面により押されて上方向に上がりテーブル上昇検知センサ２６６により上限を検知可能となっている。
操作部１４よりプリントキーが押下され、本体制御部１３からＩ／Ｆ１２を介してＡＤＦ制御部であるコントローラ部１１に原稿（Ｏ）の給紙信号が送信されると、ピックアップローラ２０は給紙モータ２５１の正転により回転駆動し、原稿テーブル１８の上面の数枚、理想的には１枚の原稿（Ｏ）をピックアップする。回転方向は、最上位の原稿（Ｏ）を給紙口に搬送する方向である。
分離給送部２において、給紙ベルト２１は給紙モータ２５１の正転により給紙方向に駆動され、リバースローラ２２は給紙モータ２５１の正転により給紙と逆方向に回転駆動され、最上位の原稿（Ｏ）とその下の原稿（Ｏ）を分離して、最上位の原稿（Ｏ）のみを給紙できる構成となっている。
【００１１】
さらに詳しく説明すると、リバースローラ２２は給紙ベルト２１と所定圧で接し、給紙ベルト２１と直接接している時、または原稿（Ｏ）１枚を介して接している状態では給紙ベルト２１の回転につられて反時計方向につれ回りし、２枚以上の原稿（Ｏ）が給紙ベルト２１とリバースローラ２２の間に侵入した時は連れ回り力がトルクリミッターのトルクよりも低くなるように設定されており、リバースローラ２２は本来の駆動方向である時計方向に回転し、余分な原稿（Ｏ）を押し戻す働きをし、重送が防止される。
給紙ベルト２１とリバースローラ２２との作用により１枚に分離された原稿（Ｏ）は、給紙ベルト２１によってさらに送られ、突き当てセンサ２６３によって先端が検知され、さらに進んで停止しているレジスト部７のプルアウトローラ７０に突き当たる。その後突き当てセンサ２６３の検知から所定量定められた距離だけ送られ、結果的には、プルアウトローラ７０に所定量の撓みを持って押し当てられた状態で給紙モータ２５１を停止させることにより給紙ベルト２１の駆動が停止する。
この時、ピックアップモータ２５０を回転させることでピックアップローラ２０を原稿（Ｏ）の上面から退避させ原稿（Ｏ）を給紙ベルト２１の搬送力のみで送ることにより、原稿（Ｏ）の先端は、プルアウトローラ７０の上下ローラ対のニップに進入し、先端の整合、スキュー補正が行われる。
プルアウトローラ７０は、スキュー補正機能を有すると共に、分離後にスキュー補正された原稿（Ｏ）をターン部８の中間ローラ８０まで搬送するためのローラで、給紙モータ２５１の逆転により駆動される。またこの時、給紙モータ２５１の逆転時、プルアウトローラ７０と中間ローラ８０は駆動されるが、ピックアップローラ２０と給紙ベルト２１は駆動されていない。原稿幅センサ２６４は奥行き方向に複数個並べられ、プルアウトローラ７０により搬送された原稿（Ｏ）の搬送方向に直交する幅方向サイズを検知する。
また、原稿（Ｏ）の搬送方向の長さは、原稿（Ｏ）の先端と後端を突き当てセンサ２６３で読み取ることにより、モータパルスから原稿（Ｏ）の長さを検知する。
プルアウトローラ７０および中間ローラ８０の駆動によりレジスト部７からターン部８に原稿（Ｏ）が搬送される際には、レジスト部７での搬送速度を第一読取搬送部３０での搬送速度よりも高速に設定して、原稿（Ｏ）を第一読取部５へ送り込む処理時間の短縮が図られている。
【００１２】
原稿（Ｏ）の先端が、読取入口センサ２６５により検出されると、読取入口ローラ３２の上下ローラ対のニップに原稿（Ｏ）の先端が進入前に原稿（Ｏ）の搬送速度を読取搬送速度と同速にする為に減速を開始すると同時に、読取入口モータ２５２を正転駆動して読取入口ローラ３２を、読取出口モータ２５５を正転駆動して読取出口ローラ３３を駆動する。
そして原稿（Ｏ）の先端をレジストセンサ２６０にて検知すると、所定の搬送距離をかけて減速し、第一読取部５の読み取り位置の手前で一時停止すると共に本体制御部１３にＩ／Ｆ１２を介してレジスト停止信号を送信する。続いて本体制御部１３より読み取り開始信号を受信すると、レジスト停止していた原稿（Ｏ）は読み取り位置に原稿（Ｏ）の先端が到達するまでに所定の搬送速度に立ち上がるように増速されて搬送される。
読取入口モータ２５２のパルスカウントにより検出された原稿（Ｏ）の先端が第一読取部５の読み取り位置に到達するタイミングで、本体制御部１３に対して原稿（Ｏ）の第１面の副走査方向有効画像領域を示すゲート信号が第一読取部５を原稿（Ｏ）の後端が抜けるまで送信される。第一読取搬送部３０を通過した原稿（Ｏ）は第二読取搬送部３１へ搬送される。
そして第二読取搬送部３１での第二読取部６の読み取りが終了した後、排出部９を経てスタック部９０へ搬送される。この際、排紙センサ２６２により原稿（Ｏ）の先端を検知すると、排紙モータ２５３を正転駆動して排紙ローラ９１を反時計方向に回転させる。また、排紙センサ２６２による原稿（Ｏ）の先端検知からの排紙モータパルスカウントにより、原稿（Ｏ）の後端が排紙ローラ９１の上下ローラ対のニップから抜ける直前に排紙モータ２５３の駆動速度を減速させて、スタック部９０上に排出される原稿（Ｏ）が飛び出さない様に制御されるようになっている。
【００１３】
図３は、本発明の実施の形態例にかかる原稿画像読取装置１０の要部構成の拡大断面図である。
図３において、原稿画像読取装置１０におけるそれぞれの線速設定を、第一読取搬送部３０と第二読取搬送部３１の搬送経路を例にして説明する。
第一読取部５のある第一読取搬送部３０では、第一読取部５に該当する部分の読取位置を（ａ）、上流側搬送手段の読取入口ローラ３２のニップ部を（ｂ）、下流側搬送手段の読取出口ローラ３３のニップ部を（ｃ）とすると、各部の位置関係がストレートでなく、線分ａ−ｂの読取位置（ａ）と上流側搬送手段のニップ部（ｂ）、線分ａ−ｃの読取位置（ａ）と下流側搬送手段のニップ部（ｃ）の二直線が形成するストレートでない曲折部の角度（θ１）が１５０度未満で、第一読取部５が読取位置（ａ）と上流側搬送手段のニップ部（ｂ）と下流側搬送手段のニップ部（ｃ）の３点を通る円弧の外側に配置されている。
一方、第二読取部６のある第二読取搬送部３１では、第二読取部６に該当する部分の読取位置を（ｄ）、第二読取搬送部３１の読取位置（ｄ）の上流側搬送手段の読取出口ローラ３３のニップ部を（ｃ）、下流側搬送手段の出口ローラ３４のニップ部を（ｅ）とした場合に、各部間の位置関係がほぼストレートの関係にある。ここでいうほぼストレートとは、線分ｃ−ｄの上流側搬送手段のニップ部（ｃ）と読取位置（ｄ）、線分ｄ−ｅの読取位置（ｄ）と下流側搬送手段のニップ部（ｅ）の二直線が形成するほぼ直線部の角度（θ２）が１５０度以上となるように配置され、１５０度未満の場合は、前述したストレートでない例とする。
【００１４】
最初に、第一読取搬送部３０のような搬送経路を持つ場合では、上流側の読取入口ローラ３２の搬送速度と下流側の読取出口ローラ３３の搬送速度の関係は、上流側の読取入口ローラ３２の搬送速度≦下流側の読取出口ローラ３３の搬送速度とし、搬送中に読取入口ローラ３２と読取出口ローラ３３の間に原稿（Ｏ）の撓みが生じないように設定されている。
ただし、この原稿（Ｏ）は、第一読取部５の読取位置（ａ）で透過部材５０と接しながら搬送されるよう案内手段４の搬送ガイド部材４０によって規制されている。搬送ガイド部材４０は図示しない弾性部材により、防汚処理を施された透過部材５０の表面に突き当てられて位置決めされている。
原稿（Ｏ）を読取面より離間して搬送／読取りを行う場合、読取面に外部から進入した異物や搬送中に原稿（Ｏ）から発生する異物が読取面に滞留しやすく、かつ読取中には異物を除去する手段を持たない為、滞留した異物を読取ることにより搬送方向へのすじ状の異常画像となるが、第一読取部５の読取位置（ａ）で原稿（Ｏ）を透過部材５０と接触させながら搬送した場合には、原稿（Ｏ）自体が異物を除去するため異常画像の発生の防止が可能となる。
読取位置（ａ）の前後の搬送手段の搬送速度差を１％以上とした場合には、図示しない弾性部材によって透過部材５０へ突き当てて位置決めされている搬送ガイド部材４０は上方向へ押上げられ、読取位置（ａ）での透過部材５０と原稿（Ｏ）が離間してしまうため読み取り時の搬送速度差は１％未満とするのが望ましい。
【００１５】
また、第二読取搬送部３１のような搬送経路を持つ場合では、上流側搬送手段の読取出口ローラ３３と下流側搬送手段の出口ローラ３４の搬送速度の関係は、上流側の読取出口ローラ３３の搬送速度≧下流側の下流側の出口ローラ３４の搬送速度とし、逆にこの原稿（Ｏ）に撓みを生じさせるような速度設定にする。ストレートに近い搬送経路の場合、速度設定を上流側≦下流側とした場合には原稿（Ｏ）を読取位置（ｄ）の読取面６０に接しながら搬送させるのが困難で読取面６０より離間してしまい、前述したような不具合が生じるために、この原稿（Ｏ）に撓みを設けて読取面６０に接しながら搬送させている。その際の速度差は１％以内として原稿（Ｏ）が撓み過ぎないような設定となっている。
つまり、前述した２つの異なる搬送経路を持つ搬送手段３の第一読取部５のある第一読取搬送部３０と第二読取部６のある第二読取搬送部３１の各ユニットを搭載した原稿画像読取装置１０では、各搬送経路の特性に応じた搬送速度を設定することにより、原稿（Ｏ）の第１面と第２面の読取位置前後の搬送手段３の相対的な速度関係が異なり、異常画像の発生を防止することができる。
原稿（Ｏ）の第１面または第２面のどちらかの面しか読み取りを行わない場合には、読み取りを実施しない読取位置の付近へ異物が滞留しても画像への影響は無いため、原稿（Ｏ）を読取面から離間させて搬送しても問題はなく、むしろ透過部材５０や読取面６０の防汚処理を保護するために離間させて搬送させるのが望ましい。
そのため、片面のみの読取モードの場合には、読み取りを行わない読取位置では原稿（Ｏ）を離間させるように読取位置の上流側と下流側の速度関係を変更することが有効となる。その際、搬送経路がストレートでもそうでない曲折部の場合のどちらも、上流側の搬送速度≦下流側の搬送速度という関係が望ましく、ストレートでない曲折部の場合には初期的に速度差が１％以内で上流側の搬送速度≦下流側の搬送速度という関係となっているが、読取を行わない場合には１％を越えても問題ない。
【００１６】
また、どちらか一方の同一の読取モードしか行わない場合に、読み取りを行わない読取面から原稿（Ｏ）を離間させて搬送するモードが連続すると読取面には多量の異物が滞留する可能性がある。この直後に読み取りを行わなかった第一読取部５または第二読取部６の読み取りを行うモードとなった場合に、原稿（Ｏ）を読取面に接しながら搬送するようになるが、多量の異物が滞留していた場合には１枚目で異物を除去できずに異常画像となる可能性が考えられる。これを防止するために読み取りを行わない読取モードでも数枚おき（数枚間隔）にするなど、原稿（Ｏ）を読取面に接するよう間欠動作を行い読取面上の異物の除去を行う。
さらに、どちらか一方の同一の読取モードしか行わない場合に、第一読取部５の透過部材５０または第二読取部６の読取面６０の防汚処理面を保護する方法として、速度設定の変更以外に案内手段４の搬送ガイド部材４０またはローラ部材４１を移動する手段がある。
まず搬送ガイド部材４０は、第一読取部５の読取位置（ａ）に配置される透過部材５０の防汚処理面に対向して配置され、透過部材５０によって位置決めされて、第一読取部５の読取位置（ａ）に最も近接した上流側と下流側の読取入口ローラ３２と読取出口ローラ３３の相対的な速度関係と、第二読取部６の読取位置（ｄ）に最も近接した読取出口ローラ３３と出口ローラ３４の相対的な速度関係の変化に同期して読み取りを行わない読取位置（ａ）で透過部材５０の防汚処理面から離間させるように移動することで、簡単な構造で確実に原稿（Ｏ）と透過部材５０の防汚処理面との接触力を低下することが可能となり、透過部材５０の防汚処理効果の低下を防止することが可能となる。
【００１７】
図４は、本発明の実施の形態例にかかる原稿画像読取装置１０のローラ部材４１の基本構成の側面図である。
図５は、本発明の実施の形態例にかかる原稿画像読取装置１０のローラ部材４１の展開拡大図である。図６は、本発明の実施の形態例にかかる原稿画像読取装置１０のローラ部材４１が第二読取部６の読取面６０に接近した状態の拡大断面図である。図７は、本発明の実施の形態例にかかる原稿画像読取装置１０のローラ部材４１が第二読取部６の読取面６０に接近した状態の側面図である。図８は、本発明の実施の形態例にかかる原稿画像読取装置１０のローラ部材４１が第二読取部６の読取面６０から離間した状態の拡大断面図である。図９は、本発明の実施の形態例にかかる原稿画像読取装置１０のローラ部材４１が第二読取部６の読取面６０から離間した状態の側面図である。
図４において、第二読取部６の読取面６０が固定されて移動できない構成では、読取面６０の対向部に白基準補正の為の白色のローラを兼用とするローラ部材４１を設けている。このような兼用のローラ部材４１もしくはローラ部材４１と一体となっている両端に配置された部品４４を読取面６０に加圧し突き当て位置関係を出している。
図５において、ローラ部材４１の部品構成は、白色ローラと兼用のローラ部材４１の両側端面に溝４５を設け、そこの溝４５に弾性部材４６により外側に加圧される可動な（回動自在な）爪４７を設ける。
爪４７の支点４８は、ローラ部材４１の図示の矢印（Ｃ）方向の原稿搬送方向への回転時に爪４７の先端よりも爪４７の支点４８が先に読取位置（ｄ）を通過するように配置されている。
ローラ部材４１の両端には、内側に爪４７がはまり込む溝４９が設けられ外形はカム面４２が形成されたリング部材４３が設けられている。
【００１８】
図６、図７において、ローラ部材４１が、図示の矢印（Ｄ）方向の原稿（Ｏ）を搬送する方向に図示の矢印（Ｅ）方向に回転する時に、爪４７はリング部材４３の溝４９にかみ合わずローラ部材４１が回転してもカム面４２を形成したリング部材４３は空回りする。
図８、図９において、ローラ部材４１が、図示の矢印（Ｅ）方向と反対方向の図示の矢印（Ｆ）方向に回転する時に、爪４７がリング部材４３の溝４９にかみ合ってローラ部材４１と共に回転する構成となっている。
第二読取部６の読取面６０で原稿（Ｏ）の第２面の読み取りを行う時には、ローラ部材４１が原稿（Ｏ）を搬送する図示の矢印（Ｄ）方向の図示の矢印（Ｅ）方向に回転し、カム面４２はローラ部材４１が読取面６０に接近した状態で駆動させる（図６、図７を参照）。
しかし第二読取部６の読取面６０で原稿（Ｏ）の第２面の読み取りを行わない時には、ローラ部材４１は図示の矢印（Ｅ）方向と反対方向の図示の矢印（Ｆ）方向に回転し、カム面４２が読取位置（ｄ）に来た位置で停止する（図８、９を参照）。カム面４２が、読取位置（ｄ）に来たことは、ローラ部材４１が下がるのと連動して動く図示しないフィラーをセンサで検知することによる。
ローラ部材４１は、第二読取部６の読取位置（ｄ）での読取面６０の防汚処理面に対向して配置され、部品４４によって位置決めされている。第一読取部５の読取位置（ａ）に最も近接した上流側と下流側の搬送手段３の読取入口ローラ３２と読取出口ローラ３３の相対的な速度関係と、第二読取部６の読取位置（ｄ）に最も近接した上流側と下流側の搬送手段３の読取出口ローラ３３と出口ローラ３４の相対的な速度関係の変化に同期して読み取りを行わない読取位置（ｄ）で読取面６０の防汚処理面から離間させるように移動することによって、確実に原稿（Ｏ）と読取面６０の防汚処理面との接触力を低下することが可能となり、読取面６０の防汚処理効果の低下を防止することが可能となる。
【００１９】
図１０は、本発明の実施の形態例にかかる原稿画像読取装置１０を備える画像形成装置１００の要部構成を示す正面図である。
図１０において、画像形成装置１００は、被記録媒体（Ｐ）に画像を形成する画像形成ユニット１０１と、画像形成ユニット１０１の上部には前記請求項１乃至１５のいずれか一項に記載の原稿画像読取装置１０を配置している。画像形成ユニット１０１は、被記録媒体給送ユニット１０２の上に保持されている。
画像形成ユニット１０１は、電子写真方式の作像プロセスで利便性や汎用性に優れ高速で高品質のトナーの記録画像を被記録媒体（Ｐ）上に形成するようになっている。
原稿画像読取装置１０において、原稿セット部１にセットされた原稿（Ｏ）束の一枚毎の原稿（Ｏ）の原稿画像の読み取りが行われて、読み取られた原稿画像は画像形成ユニット１０１のドラム形状の感光体ドラム１１０上に結像される。
感光体ドラム１１０は、図示の矢印（Ｇ）方向の時計方向に回転し、この時帯電器１１１によって表面を一様に帯電され、その帯電面に書き込み装置１１２のレーザビームにより原稿画像が形成される。これによって感光体ドラム１１０上に静電潜像が形成され、この静電潜像は現像装置１１３によってトナー像として可視像化される。
一方、被記録媒体給送ユニット１０２から被記録媒体（Ｐ）の記録用紙が感光体ドラム１１０に向けて給送され、転写器１１４によって感光体ドラム１１０上のトナー像が被記録媒体（Ｐ）に転写される。
この被記録媒体（Ｐ）は定着装置１１５を通り、転写されたトナーの記録画像が被記録媒体（Ｐ）上に定着され、ついで被記録媒体（Ｐ）は排出トレイ１１６に排出されて収納される。
感光体ドラム１１０上に残留するトナーは、クリーニングユニット１１７によって除去されて次工程に備えられる。
従って、異常画像の発生を防止しつつ、読取位置上の防汚効果の耐久性を向上させる原稿画像読取装置１０を備える画像形成装置１００を提供することができる。
【図面の簡単な説明】
【００２０】
【図１】本発明の実施の形態例にかかる原稿画像読取装置の基本構成の断面図である。
【図２】本発明の実施の形態例にかかる原稿画像読取装置の制御系の構成を示すブロック図である。
【図３】本発明の実施の形態例にかかる原稿画像読取装置の要部構成の拡大断面図である。
【図４】本発明の実施の形態例にかかる原稿画像読取装置のローラ部材の基本構成の拡大側面図である。
【図５】本発明の実施の形態例にかかる原稿画像読取装置のローラ部材の展開拡大図である。
【図６】本発明の実施の形態例にかかる原稿画像読取装置のローラ部材が第二読取部の読取面に接近した状態の拡大断面図である。
【図７】本発明の実施の形態例にかかる原稿画像読取装置のローラ部材が第二読取部の読取面に接近した状態の側面図である。
【図８】本発明の実施の形態例にかかる原稿画像読取装置のローラ部材が第二読取部の読取面から離間した状態の拡大断面図である。
【図９】本発明の実施の形態例にかかる原稿画像読取装置のローラ部材が第二読取部の読取面から離間した状態の側面図である。
【図１０】本発明の実施の形態例にかかる原稿画像読取装置を備える画像形成装置の要部構成を示す正面図である。
【符号の説明】
【００２１】
１  原稿セット部、２  分離給送部、３  搬送手段、４  案内手段、５  第一読取部、６  第二読取部、７  レジスト部、８  ターン部、９  排出部、１０  原稿画像読取装置、１１  コントローラ部、１２  Ｉ／Ｆ、１３  本体制御部、１４  操作部、１５  駆動部、１６  センサ群、１７  可動原稿テーブル、１８  原稿テーブル、１９  セットフィラー、２０  ピックアップローラ、２１  給紙ベルト、２２  リバースローラ、３０  第一読取搬送部、３１  第二読取搬送部、３２  読取入口ローラ、３３  読取出口ローラ、３４  出口ローラ、４０  搬送ガイド部材、４１  ローラ部材、４２  カム面、４３  リング部材、４４  部品、４５  溝、４６  弾性部材、４７  爪、４８  支点、４９  溝、５０  透過部材、６０  読取面、７０  プルアウトローラ、８０  中間ローラ、９０  スタック部、９１  排紙ローラ、１００  画像形成装置、１０１  画像形成ユニット、１０２  被記録媒体給送ユニット、１１０  感光体ドラム、１１１  帯電器、１１２  書き込み装置、１１３  現像装置、１１４  転写器、１１５  定着装置、１１６  排出トレイ、１１７  クリーニングユニット、２５０  ピックアップモータ、２５１  給紙モータ、２５２  読取入口モータ、２５３  排紙モータ、２５４  底板上昇モータ、２５５  読取出口モータ、２６０  レジストセンサ、２６１  原稿セットセンサ、２６２  排紙センサ、２６３  突き当てセンサ、２６４  原稿幅センサ、２６５  読取入口センサ、２６６  テーブル上昇検知センサ、２６７  底板ホームポジションセンサ、２６８、２６９  原稿長さ検知センサ
【図１】
2007143083.tif 000003
【図２】
2007143083.tif 000004
【図３】
2007143083.tif 000005
【図４】
2007143083.tif 000006
【図５】
2007143083.tif 000007
【図６】
2007143083.tif 000008
【図７】
2007143083.tif 000009
【図８】
2007143083.tif 000010
【図９】
2007143083.tif 000011
【図１０】
2007143083.tif 000012